(57)【要約】【課題】集合光ケーブルの全体を小さくまとめることのできる集合光ケーブルを提供する。【解決手段】光ファイバ心線２ａとテンションメンバ２ｂを平行に配して外被２ｃで一括被覆したエレメント２を複数並列させるとともに隣り合うエレメント２を連結部３によって長手方向に沿って連結させた集合光ケーブル１で、隣り合うエレメント２は、光ファイバ心線２ａとテンションメンバ２ｂを結ぶ仮想線Ｌと交わる側面２ｅが互いに対向するように配置され、連結部３は、可撓性を有するとともに隣り合うエレメント２の対向面２ｅの２つの隅部２ｆ，２ｇのうちいずれか一方に形成されている。【選択図】図１
2012022062.tif 000002
【特許請求の範囲】
【請求項１】
光ファイバ心線とテンションメンバを平行に配して外被で一括被覆したエレメントを複数並列させるとともに隣り合う前記エレメントを連結部によって長手方向に沿って連結させた集合光ケーブルであって、
前記隣り合うエレメントは、前記光ファイバ心線と前記テンションメンバを結ぶ仮想線と交わる側面が互いに対向するように配置され、
前記連結部は、可撓性を有するとともに隣り合うエレメントの対向面の２つの隅部のうちいずれか一方に形成されていることを特徴とする集合光ケーブル。
【請求項２】
前記連結部は、隣り合うエレメントの前記仮想線と平行な側面で同じ側面側の隅部に形成されていることを特徴とする請求項１に記載の集合光ケーブル。
【請求項３】
複数並列された前記エレメントの端又は隣り合うエレメントの間に支持線部を有していることを特徴とする請求項１又は２に記載の集合光ケーブル。
【請求項４】
前記連結部には、長手方向に沿って窓部が形成されていることを特徴とする請求項１〜３のいずれか１項に記載の集合光ケーブル。
【請求項５】
請求項１〜４のいずれか１項に記載の集合光ケーブルの布設方法であって、
前記集合光ケーブルは、全体形状が帯状の状態でドラムに巻かれ、布設時にドラムから繰り出されるとともに連結部で折り曲げられ、全体形状が束ねられた状態に保持されて布設されることを特徴とする集合光ケーブルの布設方法。
【発明の詳細な説明】
【技術分野】
【０００１】
本発明は、ビル、マンション等集合住宅の建物内や地下の既設の管路に布設するのに用いられる集合光ケーブル及びその布設方法に関する。
【背景技術】
【０００２】
ビル、マンションなどの集合住宅内において光ファイバを布設する場合、外部から多心の光ケーブルを主配線盤（ＭＤＦ）に引き込み、その後、主配線盤から光ケーブルを各住戸へ配線する方法がある。その場合は、主配線盤からの配線にインドア光ケーブルと呼ばれる光ケーブルが広く用いられている。
【０００３】
ここで、上述した布設形態を取る場合、光ケーブルは、各住戸に個別に布設される。しかし、住居数が多いと布設回数が多くなるため、布設作業に労力がかかる。このため、光ケーブルは、通常複数本を束にまとめて布設する方法が採用されている。
【０００４】
例えば、特許文献１には、ビル、マンション等の集合住宅の建物内に布設される集合光ケーブル１０１が開示されている。図７を参照して特許文献１に係る集合光ケーブル１０１の概略を説明する。
図７に示すように、集合光ケーブル１０１は、支持線１０２ａをシース１０２ｂによって被覆した支持線部１０２の周りに複数本のエレメント１０３（光ケーブル）を撚るようにして巻き、長手方向に沿って所定の間隔で結束バンド（不図示）によって複数本のエレメント１０３が束化されている。集合光ケーブル１０１を構成するエレメント１０３は、それぞれが予め配線形態に応じて結束バンドから分岐される。また、集合光ケーブル１０１の支持線部１０２を構成する支持線１０１ａの一端側には、布設時の牽引や布設後の固定に用いられるワイヤーネットが取り付けられている。
【０００５】
以上に説明した集合光ケーブル１０１は、ワイヤーネットにクレーンのフック等を引っかけて集合住宅の屋上付近まで引っ張り上げて布設し、予め分岐されたエレメント１０３を水平配線に用いる。分岐されたエレメント１０３内の各光ファイバ心線１０３ａは、それぞれ各階の各家庭に配線される。
【０００６】
また、特許文献２には、集合住宅の建物内に布設させる集合光ケーブル２０１が開示されている。図８を参照しながら特許文献２に係る集合光ケーブル２０１を説明する。
図８に示すように、集合光ケーブル２０１は、エレメント２０２（光ケーブル）を複数並列させた状態で連結部２０３によって連結させている。この集合光ケーブル２０１は、複数本のエレメント２０２を薄型構造で集合させることができるため、狭いスペース部分への配設が可能となる。
【先行技術文献】
【特許文献】
【０００７】
【特許文献１】特開２００４−１２５９１４
【特許文献２】特開２００８−７０５７３
【発明の概要】
【発明が解決しようとする課題】
【０００８】
しかしながら、図７に示す集合光ケーブル１０１は、支持線部１０２の周りにエレメント１０３を撚り合わせる構成上、支持線部１０２の外径がある程度の大きさを必要とされ、必然的に集合光ケーブル１０１が大型化した。また、集合光ケーブル１０１は、結束バンドで固定されているもののエレメント１０３の剛性によりばらける虞があった。さらに、各エレメント１０３は、予め配線形態に応じて結束バンドから分岐されているため、布設時に周囲の物に引っ掛かるなどの問題を発生させる虞もあった。
【０００９】
また、図８（Ａ）に示す集合光ケーブル２０１は、厚みＴを薄くすることができるものの幅Ｗが広くなっていた。そのため、例えば、ビルの縦系に布設する際には、布設場所が集合光ケーブル２０１の幅Ｗを許容できる広いスペースがなければ布設できなかった。特に既設のダクト等に布設させるには、不向きであった。
そこで、図８（Ａ）に示す集合光ケーブル２０１を丸めてコンパクトにすることが考えられる。しかし、図８（Ｂ）に示すように、エレメント２０２の隅部２０２ａが当接し丸められなかった。また、無理に丸めると、連結部２０３が破損してしまう虞があった。
【００１０】
本発明は、上述した実情に鑑みてなされたもので、集合光ケーブルの全体を小さくまとめることのできる集合光ケーブルを提供することを目的とする。
【課題を解決するための手段】
【００１１】
光ファイバ心線とテンションメンバを平行に配して外被で一括被覆したエレメントを複数並列させるとともに隣り合うエレメントを連結部によって長手方向に沿って連結させた集合光ケーブルで、隣り合うエレメントは、光ファイバ心線とテンションメンバを結ぶ仮想線と交わる側面が互いに対向するように配置され、連結部は、可撓性を有するとともに隣り合うエレメントの対向面の２つの隅部のうちいずれか一方に形成されている。
【００１２】
なお、連結部は、隣り合うエレメントの仮想線と平行な側面で同じ側面側の隅部に形成されていることが好ましい。また、並列されたエレメントの端又は隣り合うエレメントの間に支持線部を有していることが好ましい。また、連結部には、長手方向に沿って窓部が形成されていることが好ましい。
【００１３】
集合光ケーブルの布設方法で、集合光ケーブルは、全体形状が帯状となるようにドラムに巻かれ、布設時にドラムから繰り出されるとともに連結部で折り曲げられ、全体形状が束ねられた状態に保持されて布設される。
【発明の効果】
【００１４】
本発明によれば、集合光ケーブルを連結部で１８０°近くに折り曲げることができ集合光ケーブルの全体を丸めるようにして小さく束ねることができる。
【図面の簡単な説明】
【００１５】
【図１】本発明による集合光ケーブルの一例を示す図である。
【図２】図１の集合光ケーブルを丸めた状態を示す図である。
【図３】本発明による集合光ケーブルを垂直に布設する様子を示す図である。
【図４】本発明による集合光ケーブルを布設した状態を示す図である。
【図５】本発明による他の集合光ケーブルを示す図である。
【図６】本発明によるその他の集合光ケーブルを示す図である。
【図７】従来の集合光ケーブルを示す図である。
【図８】従来の他の集合光ケーブルを示す図である。
【発明を実施するための形態】
【００１６】
図１及び図２を用いて、本発明による集合光ケーブルの実施形態を説明する。図１（Ａ）は、集合光ケーブル１の断面図を示し、図１（Ｂ）は、図１（Ａ）の集合光ケーブル１の外観を示す図である。
図１（Ａ）及び（Ｂ）に示すように、集合光ケーブル１は、全体形状が略帯形状となっており、複数のエレメント２を連結部３で連結して構成される。
【００１７】
エレメント２は、光ファイバ心線２ａの両側にテンションメンバ２ｂを平行に配して外被２ｃで一括被覆して形成されたもので、通常のドロップケーブルあるいはインドアケーブル等の光ケーブルに相当する。そして、エレメント２は、断面形状が略矩形状で、例えば、幅Ｗ１が３ｍｍ、厚さＴ１が２ｍｍのものである。なお、エレメント２の大きさの一例を例示して説明したがこれに限定されるものではない。
【００１８】
また、エレメント２内に１本の光ファイバ心線２ａを配した１例を例示しているが、これに限定されるものではない。エレメント２内には、例えば、複数本の光ファイバ心線２ａを配しても良く、また、光ファイバ心線２ａに代えて、複数本の光ファイバ心線２ａをテープ状にしたテープ心線、あるいは、複数の光ファイバ心線２ａを撚り合わせた構造の光ファイバユニット等を用いても良い。
【００１９】
テンションメンバ２ｂは、エレメント２の長手方向に引っ張り強度を持たせるものであり、例えば、外径０．４ｍｍ程度の鋼線等からなる抗張力線である。
外被２ｃは、光ファイバ心線２ａとテンションメンバ２ｂを一体に被覆するものであり、例えば、難燃性のポリエチレンで形成されている。また、外被２ｃには、外被２ｃを引裂いてエレメント２の内部の光ファイバ心線２ａを取出し易くするためのＶ字状のノッチ２ｄが、エレメント２の両側面の長手方向に沿って形成されている。
【００２０】
連結部３は、隣り合うエレメント２の側面を長手方向に沿って連結させるものであり、薄肉状で可撓性を有している。連結部３は、エレメント２の側面のうち、横断面における光ファイバ心線２ａとテンションメンバ２ｂを結ぶ直線である仮想線Ｌが交わる側面（対向面）２ｅの２つの隅部２ｆ，２ｇのうちいずれか一方の隅部に形成される。図１の例において、連結部３は、全て隅部２ｆ側に形成されている。これにより、集合光ケーブル１は、ノッチ２ｄが形成される一方の側面２ｈと連結部３とで略平坦面を形成する。
【００２１】
連結部３は、側面２ｅの一方の隅部２ｆに形成されていることにより、集合光ケーブル１の全体の幅Ｗを大きくすることなく、隣り合うエレメント２の間で１８０°まで折り曲げることを可能にする。ここで、集合光ケーブル１は、隣り合うエレメント２を側面２ｅの中央部で連結させても連結部３の長さを長くすれば、折り曲げることが可能である。しかし、そのようにすると、集合光ケーブル１の幅Ｗが大きくなるという問題が発生する。
【００２２】
連結部３は、例えば、厚さＴ２が０．５ｍｍで長さが１．０ｍｍで形成されている。そして、連結部３には、図１（Ｂ）に示すように、窓部５が長手方向に沿って複数形成されている。窓部５は、連結部３を貫通する矩形状の穴である。連結部３は、窓部５を有していることにより、連結部を容易に引き裂くことができ、エレメント２の分岐を容易に行うことができる。
なお、連結部の寸法の一例を挙げて説明したが、この寸法に限定されるものではない。
また、連結部３に窓部５を形成させる構成で説明したがこの構成に限定されるものではない。例えば、連結部３は、窓部５を省略した構成でも良い。
【００２３】
集合光ケーブル１には、支持線部４を一体に設けることができる。支持線部４は、鋼線４ａを外被２ｃによって被覆したものであり、円柱形状で、複数並列されたエレメント２の端（図１の左端）に連結部３を介して一体形状とされる。支持線部４は、集合光ケーブル１を集合住宅等の上部へ引っ張り上げる際に鋼線４ａが口出し処理され、例えば、ラダ―（梯子）や牽引具などに取り付けられる。
【００２４】
次に、本発明に係る集合光ケーブル１を丸めた状態を説明する。図２に示すように、集合光ケーブル１は、支持線部４を中心として、隣り合うエレメント２の間の連結部３を折り曲げることにより、螺旋状又は筒状に丸めて束ねることができる。これにより、集合光ケーブル１は、全体形状が帯状の状態と丸められた状態の二つの状態をとることができる。集合光ケーブル１は、螺旋状又は筒状に丸めて束ねられることにより、例えば、管路などの狭い場所へ各エレメント２を連結したまま布設することが可能となる。
【００２５】
図３は、集合光ケーブルを集合住宅等に布設させる様子を示す図である。
集合光ケーブル１は、全体形状が帯状となっており、長手方向の一端側からドラム６の周面に略平坦面が接するように巻くことができる。このとき、連結部３は、伸びた状態（折り曲げられていない状態）となっている。そして、集合光ケーブル１は、ドラム６に巻いた状態で運搬することができる。
集合光ケーブル１は、布設時にドラム６から繰り出され、設置場所に応じて各エレメント２の間の連結部３が折り曲げられて小さく丸められる。なお、ドラム６から繰り出された直後の集合光ケーブル１の断面（図３のＡ−Ａ断面）は、図１（Ａ）で示すようになっている。
【００２６】
繰り出された帯状の集合光ケーブル１は、例えば、束ね治具７によって丸められる。束ね治具７は、円筒形状となっており、入口側の内径が大径となっており出口側の内径が入口側より小径となっている。束ね治具７は、帯状の集合光ケーブル１が入口側から通されると、出口側から螺旋状又は円筒状に丸められて出てくるようになっている。このとき、帯状の集合光ケーブル１は、連結部３が螺旋状又は円筒状に丸められた状態を保つよう連結部３に癖がつけられる。丸められた集合光ケーブル１は、この状態が保持されるように結束具等で順次拘束するようにしても良い。
【００２７】
このときの集合光ケーブル１の断面（図３のＢ−Ｂ断面）は、図２で示すようになっている。そして、集合光ケーブル１は、口出し処理された鋼線４ａに吊り部材８が取り付けられ、そして、例えば、吊り部材８がクレーンのフック１０に引っ掛けられ、集合光ケーブル１の布設方向へ引き上げられる。
【００２８】
集合光ケーブル１は、複数のエレメント２が連結部３により一体化されているため、複数のエレメント２を一度の牽引で引き上げることができる。これにより集合光ケーブル１は、複数本のエレメント２を縦系の配線ダクト１１等に容易に配設することができる。また、ドラム６からの繰り出し時のドラム６の監視人員を削減させ、布設作業を軽減させることができる。
また、集合光ケーブル１は、ドラム６からの繰り出し後、丸めてコンパクトにできるため、狭い空間へ布設させることができる。
【００２９】
図４に示すように、配線ダクト１１内に引き上げられた集合光ケーブル１は、長手方向の一方側の吊り部材８が階上に固定され、他方側がドラム６より切り離されて階下の主配線盤（ＭＤＦ）等に接続される。そして、各エレメント２は、各階で集合光ケーブル１から分離されるとともに光ファイバ心線２ａが口出しされて各階の端末装置１２に接続されて横系の光ケーブル１３に繋がれる。このとき、集合光ケーブル１は、連結部３に窓部５が形成されていることにより、各エレメント２を容易に分岐させることができ、集合住宅等の配線網の構築を容易に行うことができる。
【００３０】
図５（Ａ）は、他の実施形態に係る集合ケーブルの断面図を示し、図５（Ｂ）は、他の実施形態に係る集合ケーブルの折り畳んだ状態を示す図である。なお、本実施形態の集合光ケーブル１は、一部の構成を除き、その基本的構成が上述した実施形態の集合光ケーブル１と同様であるため、同様の構成には同一符号を付し、重複する説明を省略する。
【００３１】
図５に示すように、集合光ケーブル１は、幅方向の中央部に支持線部４が形成されている。また、本例の集合光ケーブル１は、その幅方向の一方側（図５の左側）に形成されたエレメント２と他方側（図５の右側）に形成されたエレメント２とで連結部３が形成される位置が異なっている。すなわち、幅方向の一方側に形成されたエレメント２は、連結部３が側面２ｅの一方の隅部２ｆに形成されている。そして、幅方向の他方側に形成されたエレメント２は、連結部３が側面２ｅの他方の隅部２ｇに形成されている。
【００３２】
集合光ケーブル１は、前述した構成をとっていることにより、図５（Ｂ）で示すように、連結部３で折り曲げてコンパクトに折り畳むことができる。これにより、例えば、エレベータシャフトのような狭い空間に場所を取らずに布設させることができる。
【００３３】
図６（Ａ）は、その他の実施形態に係る集合ケーブルの断面図を示し、図６（Ｂ）は、該集合ケーブルを折り畳んだ状態を示す図である。なお、本実施形態の集合光ケーブル１は、一部の構成を除き、その基本的構成が上述した実施形態の集合光ケーブル１と同様であるため、同様の構成には同一符号を付し、重複する説明を省略する。
【００３４】
図６（Ａ）に示すように、本実施形態に係る集合光ケーブル１は、連結部３がエレメント２の側面２ｅの一方の隅部２ｆと他方の隅部２ｇとに交互に形成されている。また、本実施形態に係る集合光ケーブル１は、支持線部４が形成されていない。集合光ケーブル１は、以上のような構成をとっていることにより、図６（Ｂ）に示すようにエレメント２を交互に折り畳むことができる。これにより集合光ケーブル１の全体をコンパクトにすることができ、狭い空間に場所を取らずに布設させることができる。
【００３５】
なお、集合光ケーブル１は、いずれの実施形態においてもエレメント２が８個形成される態様で説明したがこれに限定されるものではない。集合光ケーブル１のエレメント２は、使用される態様により適宜その数を増減させることができる。例えば、エレメント２は４個でも、１２個でも１６個でも良い。
【００３６】
また、集合光ケーブル１は、図１、図５の実施形態において支持線部４がひとつ形成される態様で説明したがこれに限定されるものではない。支持線部４は、布設される場所に応じて適宜増やしても良い。例えば、支持線部４は、集合光ケーブル１の幅方向の両端に形成させても良い。
また、集合光ケーブル１は、先に説明した実施形態において、支持線部４がある構成に対して支持線部４を省略させても良いし、支持線部４がない構成に対して支持線部４を形成させても良い。
【００３７】
また、連結部３の形成位置は、集合光ケーブル１を構成した際に、コンパクトに折り畳むことが可能な位置に形成されていれば良く、上述した実施形態に限定されるものではない。例えば、連結部３は、集合光ケーブル１をコンパクトに折り畳むことができれば、形成する箇所をふたつ又はみっつおきに一方の隅部２ｆと他方の隅部２ｇとで変えて形成させても良いし、不規則に形成させても良い。
【符号の説明】
【００３８】
１…集合光ケーブル、２…エレメント、２ａ…光ファイバ心線、２ｂ…テンションメンバ、２ｃ…外被、２ｄ…ノッチ、２ｅ…側面、２ｆ…一方の隅部、２ｇ…他方の隅部、２ｈ…側面、３…連結部、４…支持線部、５…窓部、６…ドラム、７…束ね治具、８…吊り部材、１０…フック、１１…配線ダクト、１２…端末装置、１３…横系のケーブル。
【図１】
2012022062.tif 000003
【図２】
2012022062.tif 000004
【図３】
2012022062.tif 000005
【図４】
2012022062.tif 000006
【図５】
2012022062.tif 000007
【図６】
2012022062.tif 000008
【図７】
2012022062.tif 000009
【図８】
2012022062.tif 000010